Podtech/llm-jp-corpus-v4-ja_patent huggingface dataset:
(57)【要約】【課題】  従来の車椅子介護者用ブレーキレバーにブレーキ保持レバーと、これを掛け止めするためのストッパーを加えた装置を提供する。【解決手段】  ハンドル１と、同ハンドル１の軸受２に上下に回動可能にとりつけたブレーキレバー３と、同レバー３を下方に回動してブレーキケーブル４を引く構造のブレーキ装置において、前記レバー３に、これを下方位置に回動させたとき、前記軸受２に設けられたストッパー５に掛け止めされて同レバー３を前記下方位置に保持するブレーキ保持レバー６を設けたことを特徴とする車椅子介護者用ブレーキレバー。【選択図】    図１
2011107960.tif 000002
【特許請求の範囲】
【請求項１】
ハンドル１と、同ハンドル１の軸受２に上下に回動可能にとりつけたブレーキレバー３と、同レバー３を下方に回動してブレーキケーブル４を引く構造のブレーキ装置において、前記レバー３に、これを下方位置に回動させたとき、前記軸受２に設けられたストッパー５に掛け止めされて同レバー３を前記下方位置に保持するブレーキ保持レバー６を設けたことを特徴とする車椅子介護者用ブレーキレバー。
【発明の詳細な説明】
【技術分野】
【０００１】
従来の車椅子介護者用ブレーキレバーにブレーキ保持レバーと、これを掛け止めするためのストッパーを加えた装置に関するものである。
【背景技術】
【０００２】
従来、車椅子介護者用ブレーキレバーはブレーキ装置と一体で同レバーを手動で引いている間だけブレーキが効く一時的停止の構造であった。本来の、車椅子駐車用ブレーキ装置はゴムタイヤに金属棒を押し付けタイヤの回転を固定する。この金属棒の押し付け型はタッグル式とレバー式があり、両方式とも操作部は車椅子の中間高さにある。
【発明の開示】
【発明が解決しようとする課題】
【０００３】
車椅子を駐車するとき、介護者は右と左にまわって中腰で左右の車椅子駐車用ブレーキ装置の停止レバーを引く必要があった。また、介護者は片手に荷物を持っていたり、２台同時に移動させるときがあり、ワンタッチで停止できる装置が必要であった。
【課題を解決するための手段】
【０００４】
ハンドル１と、同ハンドル１の軸受２に上下に回動可能にとりつけたブレーキレバー３と、同レバー３を下方に回動してブレーキケーブル４を引く構造のブレーキ装置において、前記レバー３に、これを下方位置に回動させたとき、前記軸受２に設けられたストッパー５に掛け止めされて同レバー３を前記下方位置に保持するブレーキ保持レバー６を設けたことを特徴とする車椅子介護者用ブレーキレバー。
【発明の効果】
【０００５】
ブレーキレバーにブレーキ力保持及び解除のレバーが付いているので介護者は車椅子を押している姿勢のまま、また片手で操作できる。
【発明を実施するための最良の形態】
【０００６】
本発明を実施するための最良の形態について説明する。ハンドル１と、同ハンドル１の軸受２に軸Ａ７を回動中心に上下に回動可能にとりつけたブレーキレバー３と、同レバー３を下方に回動して、ブレーキケーブル４を引く構造のブレーキ装置において、前記レバー３に、これを下方位置に回動させたとき、前記軸受２にビス９によって取り付けられたストッパー５に掛け止めされて同レバー３を前記下方位置に保持するブレーキ保持レバー６を設ける。同レバー６は軸Ｂ８を回動中心としてスプリング１０の力を常に受けるため、同レバー６の先端部は常に、前記ストッパー５に接触しようとしている。
【０００７】
図１において、回動可能なブレーキレバー３は矢印方向に常に引かれるブレーキケーブル４に引かれ、軸受２のA面に突き当たり停止している。
【０００８】
図２はブレーキレバー３を下方に回動始めた図である。ブレーキ保持レバー６はスプリング１０で押されているので、同レバーの先端部はストッパー５に接触しながら矢印方向に動く。
【０００９】
図３はブレーキレバー３を図２より、さらに下方に回動させた図である。
【００１０】
図４はブレーキレバー３を図３より、さらに下方に回動させ、ブレーキ保持レバー６の先端部がストッパーに掛かった状態である。ブレーキレバー３の下方への回動を中止すれば、同レバー３は静止し、ブレーキ力を保持した状態になる。
【００１１】
図５はブレーキ力解除開始の図である。ブレーキレバー３に下方に力を加えながら、ブレーキ保持レバー６を下方に回動させ、同レバー６をブレーキレバー３に重ねるとブレーキ保持レバー６の先端部がストッパー５から離れ、ブレーキ力保持が解除される。ブレーキ保持レバー６をブレーキレバー３に重ねたまま、ブレーキケーブル４の引く力でブレーキレバー３を上方に回動させる。
【００１２】
図６はブレーキ力解除途中の図である。ブレーキレバー３を図５より、さらに上方に回動させた図である。
【００１３】
図７はブレーキ力解除途中の図である。ブレーキレバー３を図６より、さらに上方に回動させた図である。
【００１４】
図８はブレーキ力解除完了の図である。ブレーキレバー３はブレーキケーブル４に引かれ、軸受２のA面に突き当たるまで戻る。同レバー３へのブレーキ保持レバー６の重ね合わせをやめれば、ブレーキ保持レバー６の先端部はストッパー５の上に接触し、図１の状態に戻る。
【図面の簡単な説明】
【００１５】
【図１】本発明の断面図である。
【図２】本発明の動作１を示す断面図である。
【図３】本発明の動作２を示す断面図である。
【図４】本発明の動作３を示す断面図である。
【図５】本発明の動作４を示す断面図である。
【図６】本発明の動作５を示す断面図である。
【図７】本発明の動作６を示す断面図である。
【図８】本発明の動作７を示す断面図である。
【符号の説明】
【００１６】
１        ハンドル
２        軸受
３        ブレーキレバー
４        ブレーキケーブル
５        ストッパー
６        ブレーキ保持レバー
７        軸A
８        軸B
９        ビス
１０      スプリング
【図１】
2011107960.tif 000003
【図２】
2011107960.tif 000004
【図３】
2011107960.tif 000005
【図４】
2011107960.tif 000006
【図５】
2011107960.tif 000007
【図６】
2011107960.tif 000008
【図７】
2011107960.tif 000009
【図８】
2011107960.tif 000010
(57)【要約】【課題】  コンクリート等の多孔質物質表面に開口したクラックの検査法に使用する探傷剤において、検査後の後処理に関して検査面からの除去の改善をすることを目的とした多孔質物質表面探傷剤を提供する。  また検査対象物の外観・清浄性の維持や洗浄廃水の処理コスト、検査中に表面より流出した余剰の探傷剤及び廃水の放出、着色粒子の検査場所周囲への飛散による環境への影響を改善することを目的とした多孔質物質表面探傷剤を提供する。【解決手段】  分散物質に自然環境への放出による環境負荷が無い炭酸水素ナトリウム（以下、重曹）粒子を使用することにより検査場所の周囲や検査後の検査対象物の清浄性を保ち、粒子そのものや水洗した場合の水溶液は処理をすることなく外部に排出できる事を可能にした。【選択図】なし【特許請求の範囲】
【請求項１】
コンクリートに代表される液体を吸収する性質を持つ多孔質物質の表面に開口したクラックの検査法に使用する探傷剤において、粉体粒子として重曹を使用したことを特徴とする多孔質表面探傷剤。
【請求項２】
検査後に表面に残存した重曹の除去において、ブラシで容易に擦り落とせることや、重曹であるため水洗により溶解し、容易に洗い流せることを特徴とする多孔質表面探傷剤。
【請求項３】
除去後の重曹粉末及び重曹水溶液は環境負荷及び汚染が無く、廃棄が容易であることを特徴とする多孔質表面探傷剤。
【発明の詳細な説明】
【技術分野】
【０００１】  本発明は、非破壊検査に関するものであり、特に検査対象がコンクリートに代表される液体を吸収する性質を持つ多孔質物質の非破壊検査に於ける表面探傷に関するものである。
【背景技術】
【０００２】  非破壊検査手法の一つである、液体を吸収する性質を持つ多孔質物質の検査面に開口したクラックの検査手段において、従来は顔料及び無機質物質から成る粉体粒子を水もしくは有機溶剤等の液体に分散させた探傷剤を被探傷箇所に適用すると液体が検査対象物に染みこむ過程で表面積の広い箇所ほど多量に吸収する現象が起こり（フィルタ作用）、検査面に開口したクラックにはこの探傷剤の流体がより多く吸収されて、表面に残存した粉体粒子の量の差異によるコントラストにより検査面に開口したクラックの位置や大きさを目視で確認するという探傷を行うものであった。
【先行技術文献】
【特許文献】
【０００３】
【特許文献１】特願  昭５８−２３８９５２
【非特許文献】
【０００４】
【非特許文献１】非破壊検査便覧  （社）日本非破壊検査協会  昭和４５年２月１０日３版  Ｐ７２７〜７３１  ５．１．２フィルタ作用を利用した多孔質材料の探傷
【発明の概要】
【発明が解決しようとする課題】
【０００５】しかしこれらの探傷剤は検査後の後処理に関して検査面からの除去が困難であり、また検査対象物の外観・清浄性の維持や洗浄廃水の処理コスト、検査中に表面より流出した余剰の探傷剤及び廃水の放出、着色粒子の検査場所周囲への飛散による環境負荷及び汚染に課題があった。
【課題を解決するための手段】
【０００６】分散物質に自然環境への放出による環境負荷が無い炭酸水素ナトリウム（以下、重曹）粒子を使用することにより検査場所の周囲や検査後の検査対象物の清浄性を保ち、粒子そのものや水洗した場合の水溶液は処理をすることなく外部に排出できる事を可能にした多孔質物質の表面探傷剤。
【発明の効果】
【０００７】本発明の多孔質物質の表面探傷剤は、検査後の検査面に残存した重曹は外観維持の理由以外では除去の必要性が無く、また水溶性であり容易に水で洗い流すことができるため、検査場所の周囲や検査対象物の外観及び清浄性の維持が容易である。且つその洗浄後の水溶液は環境負荷が無く外部に排出できることから、洗浄廃水の回収及び廃棄処理に関わる工程及びコストを削減できるものである。【０００８】また、洗浄廃水の回収が困難であることを理由として検査が困難である場合に、環境負荷及び汚染に関する要因による回収が不要であることから探傷作業を可能にするものである。
【発明を実施するための形態】
【０００９】本発明は、重曹と、重曹が溶解せずに液体中に粉体粒子として存在する事が出来る液体とで配合される。重曹は粒度１〜１００μｍ程度に粉砕され、液体は重曹に対する溶解度が無いもしくは微少であるものが望ましいが重曹の飽和溶液でもよい。
【００１０】また、液体を吸収する多孔質物質である検査対象物への使用に際し、検査面への適用は検査面に開口したクラックへの重曹粒子の残存を阻害しない方法、例えば噴滴が細かいスプレー状の適用もしくは（検査面に開口したクラックへの重曹粒子の残存を阻害しない流速による）注ぎかけによる適用にて高所から低所へ液が緩やかに流れるように使用されることが望ましい。
【００１１】更に、検査後の洗浄においてはブラシ等で擦り落とす他に、重曹に対して溶解度を持ち廃棄が容易な水を主に適用することが望ましい。
【実施例】
【００１２】表面探傷剤の配合は、主成分エタノールの変性アルコール９０重量％に重曹粒子１０重量％を分散させたものを使用する。【００１３】重曹粒子を充分に分散させた状態で検査面に適用し多孔質表面探傷剤を多孔質物質に浸透させた。その過程で分散させた重曹粒子が検査面に開口したクラックに多く残存するため、クラックでない箇所との白色度のコントラストにより検査面に開口したクラックを明瞭に検出出来た。【００１４】ブラシによる擦り落としや水道水の蛇口から出る水による検査後の後処理を行い、容易に洗浄できる事が確認出来た。
【産業上の利用可能性】
【００１５】コンクリートに代表される液体を吸収する性質を持つ多孔質物質の非破壊検査において、検査面に開口したクラックの検査、特に目視での検査において確認が容易になるために検査の精度を向上させることが可能であり、既設構造物表面のクラックの早期発見・経年劣化の調査での効率を上げることが期待できる。また、検査後は容易に擦り落とすことや水洗が可能であり、重曹粒子そのものや洗浄廃液に環境負荷及び汚染が無いことから、検査場所の周囲や検査後の検査面の清浄性を容易に維持できる。このため、検査場所における環境保護の観点での探傷剤排出防止のための養生の必要性を低下させることができる。以上の内容から、この探傷剤の使用によって検査の精度を上げると共に検査場所を選ばずに検査を行うことが可能になる。
(57)【要約】      （修正有）【課題】色と強さを調節した光によって睡眠覚醒リズムを調節し、良質な睡眠とスムーズな覚醒を促す装置を提供する。【解決手段】目覚まし時計１で就寝時刻と起床時刻を設定することにより、睡眠導入時には発光装置２から赤色〜黄色の光を点灯し、これを徐々に弱めて行く事で、スズースな睡眠導入と良質な睡眠が得られ、起床時には、起床予定時刻よりも一定時間前から発光装置２から青色〜白色の光を徐々に強めて行く事で、スムーズな覚醒が得られるとともに、設定した起床時刻には目覚まし音を鳴らことにより、ぐっすり眠って、すっきり目覚める睡眠覚醒リズムを整えることができる。【選択図】図１
2011107111.tif 000002
【特許請求の範囲】
【請求項１】
時計機能を持った機器によってコントロールされた光源の光の色と強さを調節する事によって、睡眠覚醒リズムを調節し、良質な眠りと目覚めを促す装置。
【発明の詳細な説明】
【技術分野】
【０００１】  本発明は、時計機能を持った機器によってコントロールされた光源の光の色や強さを調節する事により、睡眠覚醒リズムを調節し、良質な眠りと目覚めを促す装置。
【技術背景】
【０００２】  社会が昼夜なく活動しているため、日中のみならず夜間照明によって明るい。そのため、朝日で目覚め、夕日〜暗さで眠るという、光によって調整される人間本来の生体リズムが乱れやすい状況になっている。
【発明の開示】
【発明が解決しようとする課題】
【０００３】  そのために、次のような問題点があった。
（イ）不眠症の増加
（ロ）睡眠の質の低下
（ハ）起床困難とそれによる不登校、社会不適応
本発明は、これらの問題点を解決するためになされたものである。
【課題を解決するための手段】
【０００４】  最近の睡眠研究で明らかになった、青色光で覚醒し、赤色光で睡眠が誘導されるという生理現象を応用し、生体リズムに適切な色と強さに調節した光を発光する装置を用いて睡眠覚醒リズムと調節する
【発明の効果】
【０００５】  睡眠導入時には赤色〜黄色の光を点灯し、これを徐々に弱めて行く事で、スズースな睡眠導入と良質な睡眠が得られる。起床時には、起床予定時刻よりも一定時間前から青色〜白色の光を徐々に強めて行く事で、スムーズな覚醒が得られる。ぐっすり眠って、すっきり目覚める睡眠覚醒リズムを整える効果を持つ。また、交替性勤務など、睡眠時間の不規則な場合や、聴覚障害のある場合にも良質な睡眠とスムーズな目覚めを誘導する補助的な効果を持つ。
【発明を実施するための最良の形態】
【０００６】  以下、本発明の実施の形態について説明する。
「第１実施例」
（イ）光目覚まし時計に就寝時刻と起床時刻を設定する。
（ロ）就寝時刻になると、光装置が赤色〜黄色に発光し、徐々に弱まり消える。
（ハ）起床時刻の一定時間前になると、光装置が青色〜白色に弱く発光し、徐々に強まる（ニ）起床時刻には目覚まし音を鳴らす。
本発明は、以上の構成よりなっている。
目覚まし時計と目覚まし時計によってコントロールされる発光装置
「第２実施例」
「第１実施例」の発光装置を有線あるいは無線のアイマスク様にして、光を使用者の目周辺にのみ当てる事ができる
【図面の簡単な説明】
【０００７】
【図１】本発明の斜視図
【図２】本発明の工程を示すフローチャート図
【符号の説明】
【０００８】  １  目覚まし時計
２  発光装置
３  発光装置アイマスク
【図１】
2011107111.tif 000003
【図２】
2011107111.tif 000004
(57)【要約】      （修正有）【課題】児童の学習に、簡便な使用方法で学力向上に役立つ、児童の学習教材用具を提供する。【解決手段】表面１に色加工を施し、裏面２が磁力を有する素材で、字体や図形を形成して設け、各教科に必要な字体や図形などを不足なく形成して備え、着磁可能な箇所に、貼ったり剥がしたり貼り替えたり、種々操作しながら計算や国字の読み書きなどを学習する。その時に、用具の表面１の数種類の色彩によって、視覚による印象が記憶を容易にし、使用方法が簡単なため、児童は自身も操作すれば飽きにくい。書く、消すの面倒な動作の必要はなく、皮膚や衣類や身辺など汚す事はない。この結果、集中力を増して学習意欲を促し、学力向上に役立つ。また、着磁不可能な箇所では、置いたり置き替える。【選択図】図２
2011107666.tif 000002
【特許請求の範囲】
【請求項１】
数字や国字の字体、図形などを形成して設け、教材用具に使用する事を特徴する学習教材用具。
【発明の詳細な説明】
【技術分野】
【０００１】  本発明は、数字や国字の字体や図形などを、形成して設けた、児童の学習教材用具に関するものである。
【背景技術】
【０００２】  従来、児童が算数や国字の読み書きなどを学習するときは、鉛筆やペン、あるいは白墨などで書いたり消したりしながら学習していた。
【発明の開示】
【発明が解決しようとする課題】
【０００３】  そのために、次のような問題点があった。
鉛筆やペン、あるいは白墨などで書いたり消したりする動作は時間がかかり面倒で、手や衣服や身辺などが汚れることもある。又、児童が学習に集中できる時間は短くて飽きやすく、多種ある遊具などに興味が強く学習効果は低かった。
現在、日本の学生の学力は低下していると言われている。
本発明は以上の問題点を解決しようとするものである。
【課題を解決するための手段】
【０００４】  数字や国字の字体や図形などを形成して設け、数字の計算や、国字の読み書きなどを学習する。以上を特徴とする児童の学習教材用具である。
【発明の効果】
【０００５】  本発明は、学習するために設けた字体や図形などの使用方法は簡単で、児童も操作は容易であるため、教室でも家庭でも同様に使用できる。
【発明を実施するための最良の形態】
【０００６】  以下、発明の実施の形態を説明する。
（イ）用具を形成する素材の表面（１）は、数種類の色加工を施し、裏面（２）は磁力を有する。
（ロ）素材によって数字（３）記号（４）国字（５）の字体や図形（６）などを形成して用具を設ける。
本発明は、以上の構成によりなっている。
本発明を使用する時、各教科に必要な字体や図形（６）などを、不足なく形成して備えてあり、着磁可能な箇所に、貼ったり剥がしたり貼り替えたり、種々操作しながら計算や国字の読み書きなどを学習する。その時に、用具の表面（１）の数種類の色彩によって、視覚による印象が記憶を容易にし、使用方法が簡単なため、児童は自身も操作すれば飽きにくい。従来のように、書く、消すの面倒な動作の必要はなく、皮膚や衣類や身辺など汚す事はない。この結果、集中力を増して学習意欲を促し、学力向上に役立つ。また、着磁不可能な箇所では、置いたり置き替えたりの方法でも効果は同様である。
【図面の簡単な説明】
【０００７】
【図１】本発明の数字の拡大正面図
【図２】本発明の数字の拡大斜視図
【図３】本発明の使用図
【符号の説明】
【０００８】１  表面
２  裏面
３  数字
４  記号
５  国字
６  図形
【図１】
2011107666.tif 000003
【図２】
2011107666.tif 000004
【図３】
2011107666.tif 000005
【手続補正書】
【提出日】平成22年2月22日(2010.2.22)
【手続補正１】
【補正対象書類名】明細書
【補正対象項目名】０００１
【補正方法】変更
【補正の内容】
【０００１】  本発明は、数字や国字の字体、図形、記号などを形成して設けた、児童の学習教材用具に関するものである。
【手続補正２】
【補正対象書類名】明細書
【補正対象項目名】０００２
【補正方法】変更
【補正の内容】
【０００２】  従来、児童が学習するときは、鉛筆やペン、あるいは白墨などで書いたり消したりしながら学習していた。
【手続補正３】
【補正対象書類名】明細書
【補正対象項目名】０００３
【補正方法】変更
【補正の内容】
【０００３】  そのために、次のような問題点があった。学習時に、書いたり消したりする動作は時間がかかり面倒で、手や衣服や身辺などが汚れる事もある。又、児童が学習に対し集中力を維持できる時間は短く、その効果は低かった。現在、日本の学生の学力は低下しているといわれている。本発明は、以上の問題点を解決しようとするものである。
【手続補正４】
【補正対象書類名】明細書
【補正対象項目名】０００４
【補正方法】変更
【補正の内容】
【０００４】  数字や国字の字体や図形、記号などを形成して設け、学習用に使用する。以上を特徴とする児童の学習教材用具である。
【手続補正５】
【補正対象書類名】明細書
【補正対象項目名】０００５
【補正方法】変更
【補正の内容】
【０００５】  本発明は、教科に応じて形成し設けた用具の使用方法は簡単で、児童でも操作は容易であるため、教室でも家庭でも場所を選ばず使用できる。
【手続補正６】
【補正対象書類名】明細書
【補正対象項目名】０００６
【補正方法】変更
【補正の内容】
【０００６】以下、発明の実施の形態を説明する。（イ）素材で形成している各教材の表面（１）は、数種類の色加工を施し、裏面（２）は磁力を有する。（ロ）教材は、数字（３）国字（４）図形（５）記号（６）など学習に必要な種類を形成して設けている。本発明は、以上の構成により成っている。本発明を使用するとき、各教科に必要な形状の教材を不足なく備え、着磁が可能な箇所に、貼ったり、剥がしたり、貼替えたりして操作し、着磁が不可能な箇所では、並べたり、並べ替えたりしながら、算数や国字など種々の教科を学習する。その時、教材の表面（１）の色彩によって、視覚による印象が記憶を容易にする。又、使用方法が容易であり、児童が自身で操作すれば厭きにくい。そして、従来のように、書く、消すの面倒な動作の必要はなく、皮膚や衣類や身辺を汚す事はない。その結果、学習時の集中力持続時間が増し、向学意欲を促し、学力向上に役立つ。
【手続補正７】
【補正対象書類名】明細書
【補正対象項目名】０００８
【補正方法】変更
【補正の内容】
【０００８】  １  表面    ２  裏面    ３  数字    ４  国字    ５  図形    ６  記号
【手続補正９】
【補正対象書類名】図面
【補正対象項目名】図３
【補正方法】変更
【補正の内容】
【図３】
2011107666.tif 000006
(57)【要約】【課題】  眼鏡が鼻の油や汗でずれないように出来る器具。【解決手段】プラスチック製樹脂のフレーム図２（針金でも良い）に半円球型の布図２−４，４Ａを装着し、やや広い角度で仕上げたフレームを指ではさみそのまま眼鏡の鼻あて部分に嵌める図４この時フレームは元に戻ろうとする力が働き眼鏡にフイットする。又鼻掛け器具の構造が異なる場合フレームの形を変更し眼鏡の枠に合致させれば簡単に固定できる。他方、貼付用布付シール図５を利用し鼻掛け部に直接貼付しても良い。【選択図】図２
2011059644.tif 000002
【特許請求の範囲】
【請求項１】
顔面の汗や油によって眼鏡の鼻掛け部が滑ってずれないようにする器具。
【請求項２】
鼻掛け部分に貼付用布付シールを貼り付けて使用するシール。
【発明の詳細な説明】
【技術分野】
【０００１】本発明は、眼鏡が顔面の油、汗等により、ずれることを防止する器具に関する。
【背景技術】
【０００２】従来眼鏡を使用中に顔面に汗や油が出た場合、眼鏡と皮膚の接点の鼻賭け部分が滑ってずれることがあった。
【発明が解決しようとする課題】
【０００３】本発明は、眼鏡の鼻かけ部分図１−２，２Ａが合成樹脂製のもので出来ており汗や油等には非常に滑りやすい状況にありこの材質を変更して汗や油で容易に滑らないようにすることが考えられるが製造上の過程や材質の問題により変更は出来ないものと判断されるから、この鼻かけ部分の表面に汗や油に強い布製の生地を貼り付けるか又は覆う方法が必要となる。
【発明を解決するための手段】
【０００４】本発明は、上記課題を達成させるため図示するようにプラスチック製のフレーム図２−３（又は針金でもよい）に円状の輪図２−５，５Ａを設け輪の中に半円球の布をはめ込み図２−４，４Ａ完成とする。
他方、楕円形布図５−７に貼付用シールを設けておき図５−８使用時は、シールを剥がし眼鏡の鼻掛け部分図１−２，２Ａに貼り付けて使用することもできる。又布の表面にゴムの斑点や線状を設けるとより効果的である。
【発明の実施の形態１】
【０００５】本発明の実施の形態が図２，３，４乃至図５に示されている。
使用の際はフレームの輪の部分を２本の指でつまんで図３、やや狭めて眼鏡の鼻掛け部分図１−２，２Ａに嵌めれば良い。又外す時は同様につまんで輪を狭めれば簡単に外れる。
他方、シール状のものは布の裏面を粘着テープ状にしておき、シールをはがして図５−１０眼鏡の鼻掛け部分図１−２，２Ａに貼ればよい。
【図面の簡単な説明】
【０００７】
【図１】本発明を使用する対象である眼鏡の斜視図である。
【図２】本発明の合成樹脂製フレームの全体図である。
【図３】本発明を使用する際の説明図である。
【図４】本発明を眼鏡にセットした様子の図である。
【図５】本発明シール型の斜視図、横視図、使用図である。
【符号の説明】
【０００８】１：使用の対象とする眼鏡の斜視図
２：鼻掛け部品
２Ａ：鼻掛け部品
３：本考案の全体の斜視図
４：鼻掛け部品を覆う布
４Ａ：鼻掛け部品を覆う布
５：布をはめ込むための円型の輪
５Ａ：布をはめ込むための円型の輪
６：本考案を使用の際指で挟むための突起
７：貼付用布付シールの横視図
８：粘着部
９：貼付用布付シールの斜視図
１０：布付シールを使用する際の図
【図１】
2011059644.tif 000003
【図２】
2011059644.tif 000004
【図３】
2011059644.tif 000005
【図４】
2011059644.tif 000006
【図５】
2011059644.tif 000007
(57)【要約】【課題】三角定規など一定の角度を有する定規は、一定の幅を有しているために筒状や横幅の短いの筆箱等には収納し難く不便を感じるものである。【解決手段】定規の形状を四角柱状のものとし、定規の一部を任意の角度で切断することにより形成される接続部を設けて、この接続部を接合面に沿って回転することのできる形状にすることにより、接続面を１８０度回転させることにより切断した角度の二倍の角度を形成させることのできる定規となる。【選択図】図５
2011020420.tif 000002
【特許請求の範囲】
【請求項１】
四角柱状の定規で、定規の一部を任意の角度で切断することにより形成される接合部を接合面に沿って１８０度回転させることにより任意の角度を形成させることのできる定規。
【発明の詳細な説明】
【技術分野】
【０００１】
本発明は、四角柱状の定規の一部を回転させることにより任意の角度を形成することのできる定規に関するものである。
【背景技術】
【０００２】
任意の角度を形成させる定規は、従来からプレート状の２枚の定規の一部を上下に接合させ、接合箇所を回転させる方法のものなどが提案されている。
【特許文献１】特開２００２−５９４０１号公報
【特許文献２】特開平８−２３８８９２号公報
【発明の概要】
【発明が解決しようとする課題】
【０００３】
筆記用具として三角定規など一定の角度を形成する定規は重宝するものであるが、一定の幅があるために筒状あるいは横幅の短い筆箱等には収納し難いものである。
【課題を解決するための手段】
【０００４】
本発明は、この改善策として定規を四角柱状のものとし、定規の任意の部位を回転させることにより任意の角度を形成させることを特徴としている。
【発明の効果】
【０００５】
本発明は、四角柱状の定規の一部を斜めに切断して、その切断面を回転することのできる形状に接合するため、切断する角度を変えることにより任意の角度を形成することができ、収納時には棒状の形態となるため、筒状の筆箱にも容易に収納できるものとなる。
【発明を実施するための形態】
【０００６】
以下、本発明の形態を説明する。
（ア）四角柱状の定規の任意の部位を斜めに切断して接合させる。
（イ）接合部は接合面に沿って回転できる形状をなすものとする。
（ウ）定規本体に対する切断面の角度により、接合部を接合面に沿って１８０度回転させることにより、切断面の有する角度の２倍の角度を形成することができる。
【図面の簡単な説明】
【０００７】
【図１】図１は９０度の角度を形成する本発明の全容を示した斜視図であり、切断面は４５度の角度を有している。
【図２】図２は図１の接合部を１８０度回転させて９０度の角度を形成した斜視図である。
【図３】図３は６０度の角度を形成する本発明の全容を示した斜視図であり、切断面は３０度の角度を有している。
【図４】図４は図３の接合部を１８０度回転させて６０度の角度を形成した斜視図である。
【図５】図５は図３の接合部を１８０度回転させて６０度の角度を形成した状況を示す斜視図である。
【符号の説明】
【０００８】
１    定規本体
２    定規本体に対して４５度の角度を有し、定規に９０度の角度を形成するための接合部
３    定規本体に対して３０度の角度を有し、定規に６０度の角度を形成するための接合部
４    接合部（２）を接合面に沿って１８０度回転させて定規に９０度の角度を形成させた状況
５    接合部（３）を接合面に沿って１８０度回転させて定規に６０度の角度を形成させた状況
【図１】
2011020420.tif 000003
【図２】
2011020420.tif 000004
【図３】
2011020420.tif 000005
【図４】
2011020420.tif 000006
【図５】
2011020420.tif 000007
(57)【要約】【課題】化粧品を冷凍し、シャーベット状あるいは氷状になった化粧品を肌に塗布することによる冷却効果により、美肌になりシミを防ぐことを目的とする。【解決手段】化粧品を家庭の冷凍庫、あるいは専用の冷凍庫にて冷却し、解凍の後使用するか、そのまま使用する。【特許請求の範囲】
【請求項１】
化粧品を冷凍庫にて冷却するフローズン化粧品。
【発明の詳細な説明】
【技術分野】
【０００１】本発明は冷凍した化粧品を肌に塗布することにより、肌の代謝がよくなり美肌になる上にシミを防ぐ効果があることについてである。
【背景技術】
【０００２】従来、化粧品は常温にて使用するため温度差による効果というものは望めないものであった。前例としても冷凍する化粧品というものは例にない。特開２００５−１８０９０９号広報では冷蔵庫の化粧品受納装置について触れられているが、あくまで装置について記述があるのみである。【０００３】本願出願人は、化粧品を冷凍することにより肌の代謝が良くなり美肌になる効果がある、また、シミのもととなるヒスタミン分泌を抑えることを発明した。
【先行技術文献】
【０００４】特開２００５−１８０９０９号公報
【発明の概要】
【発明が解決しようとする課題】
【０００５】本発明は、冷却効果による美肌を得ることができる化粧品を提供することを目的とする。またシミを防ぎ、美肌効果を得ることができる化粧品を提供することを目的とする。
【課題を解決するための手段】
【０００６】上記課題を解決するために本発明は、化粧品を家庭の冷凍庫、あるいは専用の冷凍庫にて冷却し、シャーベット状あるいは氷上にして使用することを特徴とする。冷却された化粧品を肌に塗布することにより肌の代謝を促し、美しい肌になることができる。また冷却によりヒスタミンの放出をおさえ、シミができるのを防ぐ。
【発明の効果】
【０００７】以上の発明によれば、冷凍されたシャーベット状化粧品あるいは氷状化粧品により、肌を冷却すると肌の代謝を促し美肌になることができ、ヒスタミンの放出を抑えシミを防ぐ効果が得られることがわかった。
【発明を実施するための形態】
【０００８】冷凍庫にて保存するため、冷凍庫のにおいを吸着しないように個包装にする、専用の箱に入れるなどの工夫があるとのぞましい。
【実施例】
【０００９】あらゆる化粧品として実施可能だが、ここでは化粧ゲルとして利用した場合の一例を紹介する。
１、水、ＢＧ，ＤＰＧ，グリセリン、ローズ水、水溶性コラーゲン、林産アスコルビルＭＧ、ヒアルロン酸ＮＡ，ウマスフィンゴ脂質、パルミチン酸レチノール、グリチルリチン酸２Ｋ，カルボマー、水酸化ＮＡ，オレイルアルコール、エタノール、ポリアクリル酸ＮＡ，コーン油、キサンタンガム、クエン酸、クエン酸ＮＡ，フェノキシエタノールをゲル状にした化粧ゲルを冷凍庫で３時間ほど冷却する。
２、シャーベット状になったゲルを冷凍庫からとりだし、洗顔後、スパチュラで１から２かきする。
３、シャーベット状ゲルを肌に直接塗布する。肌の上で美容成分をふくむシャーベットをマッサージする。
４、上記の連続使用により美肌になりシミを防ぐことができる。
【産業上の利用可能性】
【００１０】化粧品類全般に実施可能。冷凍化粧水、冷凍乳液ほか、冷凍ゲル、冷凍美容液などの基礎化粧品のほかに、シートマスク、あるいは、ファンデーション、化粧下地、ＵＶ下地、口紅、頬紅、アイシャドウなどにも利用可能。
(57)【要約】【課題】  これまでの粘土細工は、手あれについてはあきらめ感があり、スキンクリームなどで解消するだけであった。【解決手段】  本発明は、半永久的な電気エネルギーを保持し、マイナスイオンや遠赤外線を発生するドラバイトを微粉末にし、その活性状態をより高めるため、孟宗竹の根の部分だけを焼き上げた炭の微粉末を７対３の割合で混合し、その混合微粉末を粘土に混ぜ合わせることにより手あれ防止粘土を作成した。【選択図】図１
2011020984.tif 000002
【特許請求の範囲】
【請求項１】
ドラバイトの微粉末と竹炭の微粉末を７対３の割合で混合した微粉末を、粘土細工に使用する粘土に混ぜ合わせた手あれ防止粘土。
【発明の詳細な説明】
【技術分野】
【０００１】  本発明は、ドラバイトと竹炭の混合微粉末の効能により、粘土細工における手あれ防止に関するものである。
【背景技術】
【０００２】  粘土細工における手あれを解消するものとしては、一度あれた手肌に作用するスキンクリームなどがあるが、最初から手あれを防止する粘土はない。
【先行技術文献】
【特許文献１】
【０００３】
【発明の概要】
【発明が解決しようとする課題】
【０００４】  従来の粘土細工は、手あれは仕方のないことという概念があり、スキンクリームなどで解消する以外になかった。
【課題を解決するための手段】
【０００５】  本発明は、半永久的な電気エネルギーを保持し、マイナスイオンや遠赤外線を発生するドラバイトを微粉末にし、その活性状態をより高めるため、孟宗竹の根の部分だけを焼き上げた炭の微粉末を７対３の割合で混合し、その混合微粉末を粘土に約３０パーセントの割合で混ぜ合わせて手あれの起きない粘土を作成した。
【発明の効果】
【０００６】  本発明は、ドラバイトと竹炭の混合微粉末の効能により、長時間の粘土使用にも全く手あれが生じない。
【図面の簡単な説明】
【０００７】
【図１】  本発明の粘土の中に混合微粉末を混ぜ合わせた概要図である。
【発明を実施するための形態】
【０００８】  ドラバイトと竹炭の混合微粉末を粘土の中に混ぜ合わせることにより、どのような粘土細工にも適用できる。
【実施例】
【０００９】  以下、添付図面に従って実施について説明する。図１は１の粘土に２の混合微粉末を混ぜ合わせた手あれ防止粘土である。したがって、どのような粘土細工にも適用できる。【００１０】  本考案の実施については上述のとおりであり、混合微粉末の効能による手あれ防止は効果てきめんである。
【符号の説明】
【００１２】  １    粘土
２    ドラバイトと竹炭の混合微粉末
【図１】
2011020984.tif 000003
(57)【要約】【課題】資源豊富な籾殻を炭化とした籾殻活性炭の吸着作用は、多孔質体をもつ表面積の大きさを特徴とし、持ち合わせた素材を活性吸着剤とする。素材は大量安定供給で安価とした。素材は、地上、床面、水面に浮き、水面下などでも対応でき、多様化素材で、しかも、処理後は焼却処理可能とした油吸材を提供する。【解決手段】農業廃棄物を対象として取り組んだこの発明は、籾殻活性炭を大量に安定供給を得ることで成功をした。籾殻活性炭を通油性のある袋体に充填することで多様化の更なる成果を得た。【特許請求の範囲】
【請求項１】
籾殻を炭化して多孔質籾殻に炭素を付着させた籾殻活性炭。
【請求項２】
籾殻活性炭を通油性の有した袋体に充填することを特徴とした油吸着材。
【請求項３】
ゼオライトや多孔質の鉱石、セラミック、ガラス発泡素材などに炭素を付着させた活性吸着剤に請求項１、請求項２を複合とした製造方法。
【請求項４】
請求項１、２、３、４の吸着剤が燃料、水質浄化材となる製造方法。
【発明の詳細な説明】
【技術分野】
【０００１】国内豊富な天然資源、籾殻本来の多孔質体の活用応用を特徴とした。天然素材廃棄物の環境利用と産業利用に関するものである。【０００２】活性炭の環境利用と産業利用。
【背景技術】
【０００３】細孔構造を多く持つ籾殻の多孔質体は吸着性が強い。【０００４】活性炭としての利用においては、ヤシガラ破砕炭、木質粉末炭、石炭系ペレット、石炭系粉末炭などが利用されている。
【発明の開示】
【発明が解決しようとする課題】
【０００５】従来、油液流出事故などに用いられる吸着剤は、化学製品であることから環境上に難点があることからも天然素材活用傾向にある。使用前の高額な在庫や使用後の処理問題等経済上および環境対策に難点がある。【０００６】活性炭を高温化に活用する場合に、より微細に、より多くの表面積をもって燃焼することが必要である。【０００７】天然素材の籾殻を基材にした活性炭は、比重１以下が作用し、水面に浮く特徴があることから、水面上の油類、化学物質、不純物等の吸着に成功したのである。しかも、処理後において焼却処理を可能とした。さらに、大量な農業廃棄物が安価に対応できることを特徴とした。
【課題を解決するための手段】
【０００８】本発明は、多孔質体の籾殻を燃焼加熱することで細孔構造部分に炭素を付着させ、多孔質体を基材とした活性炭を製造することが出来る。【０００９】袋体に充填した籾殻油吸着剤となる本発明における機能は、本素材の表面積の大きさが塩素除去機能、除菌機能、消毒機能とその効果の活用を特徴とした。
【発明の効果】
【００１０】本発明は、廃棄物の籾殻を活性炭にし、通油性を有した袋体に充填し、素材の多孔質と表面積の大きさの特徴を活用とした。経済負担が少なく、しかも製造工程は特別な技術を要しないのを特徴とした。【００１１】本発明の吸着剤は、地上、床面、水面において効果があり、水面下では水浄化環境浄化に取り組むことができる。【００１２】国内天然資源の農業廃棄物の籾殻を用いることから安定供給が可能であり、しかも安価に、大量供給が可能である。さらに、焼却処理を可能とする。【００１３】本発明の原料は、天然素材成分であり、有害物質は発生しない。【００１４】本発明の製造技術は単純であり高度技術を要しない。しかも先進的な環境浄化に参入ができ、籾殻資源の有効活用に貢献する。
【発明を実施するための最良の形態】
【００１５】本発明の籾殻活性炭は、籾殻を焼却してもある程度籾殻形状が維持され粒度の均一を保っていることから空隙、多孔質、珪素質が形成されている。この応用技術でもって油吸着性の効果が発揮されることを特徴とした。しかも、処理後は、燃やすと燃料になるのが特徴である。【００１６】袋成形は細孔を有したものが適しているが、布織布を袋状に製作し、形成付着することでの形態が望ましい。【００１７】籾殻活性炭をマットタイプ、板タイプ、円筒タイプに形成した袋体に充填させることの単純さと合理的な成形によって多様な使用を可能としたことを特徴とした。【００１８】この実施例については多孔質体の細孔構造や表面化学特性の部分に炭素を付着とした特異性の吸着剤であり、浄化装置に関する技術を含め用途の多様化を特徴とする。
【産業上の利用可能性】
【００１９】本発明によって、交通事故や災害、工場での事故などから発生する油の流出事故や化学液体流出事故、海面、水面事故なの油の流出事故緊急時の吸着剤として利用できることから在庫自体が緊急用の備えとなる。さらに、大規模な事故の場合は、袋成形をしないで、本発明の籾殻活性炭を直接接触することでの対応を特徴とする。【００２０】液体である油類の常温吸着が可能であるため運搬や工程、取扱に有用に活用できる。【００２１】機械のある工場や、車の整備場、ガソリンスタンドなど油の流出が常時起きる場所では常備することで流出防止を可能とし、環境に負荷を与えない。
【図面の簡単な説明】
【００２２】
【図１】袋体、マットタイプ一部破断の斜視図
【図２】袋体、板タイプ一部破断の斜視図
【図３】袋体、円筒タイプ一部破断の斜視図
【符号の説明】
【００２３】１、油吸着材
２、籾殻活性炭
３、袋体
【図１】
2011020912.tif 000002
【図２】
2011020912.tif 000003
【図３】
2011020912.tif 000004
(57)【要約】【課題】従来のスクリューコンベアーは摩耗、腐食に対して弱いという問題があった。これは羽根の材質に問題があった。【解決手段】従来の羽根材質は普通鋼で摩耗、腐食に弱かった。これに代わるものとして超高分子量樹脂をを採用したが、溶接が効かず軸への取り付けが出来なかった。ここでは羽根レールを設け、油槽で加温し冷却成型した超高分子量樹脂製羽根を取付可能にし、摩耗、腐食に強いスクリューコンベアーを提供できるものである。【選択図】図２
2011020850.tif 000002
【特許請求の範囲】
【請求項１】
超高分子量樹脂製スクリューコンベアー羽根を１００℃〜１２０℃の油槽で加温後冷水で冷却成型して軸に取り付けることを特徴とするスクリューコンベアーの製造方法。
【請求項２】
スクリューコンベアー羽根を取り付けるため、羽根レールを軸に溶接し、羽根を軸に溶接する事なくはめ込み、羽根先端は羽根押さえカバーを取付、羽根を固定することが出来る請求項１のスクリューコンベアー。
【発明の詳細な説明】
【技術分野】
【０００１】  本発明は、超高分子量樹脂を使用し、耐摩耗、耐腐食を図ったスクリューコンベアーに関するもの。
【背景技術】
【０００２】  従来のスクリューコンベアー羽根は普通鋼で製作されている。摩耗対策としては羽根の先端部を硬化肉盛するか、高張力鋼等で製作している。【０００３】  腐食対策としては羽根をステンレス鋼ないしは耐硫酸鋼で製作している。
【先行技術文献】
【０００４】
【非特許文献１】  作新工業株式会社  ニューライトカタログ  ２００９年Ｐ１，２
【非特許文献２】  三ツ星ベルト株式会社  超高分子量ポリエチレンカタログ  Ｐ７，８
【発明の概要】
【発明が解決しようとする課題】
【０００５】  従来のスクリューコンベアーの羽根は摩耗や腐食性の粉体を搬送する場合、寿命が短く交換時期が早かった。【０００６】  本発明はこのように従来抱えていた問題を解決し、長寿命のスクリューコンベアーを実現することを目的とするものである。
【課題を解決するための手段】
【０００７】  本発明は、スクリューコンベアー羽根材質を耐摩耗、耐腐食性を持った超高分子量樹脂に変える。これにより寿命を延ばすことが出来る。【０００８】  しかし、超高分子量樹脂は溶接が不可能であるために、軸に従来のように溶接でつけることが出来ない。また、それに変わる接着剤も有効なものが現在見当たらない。したがって、羽根を軸に取り付ける方法として羽根をはめ込む溝を持った羽根レールを設けた。羽根レールは軸に螺旋状に取り付ける。この結果羽根レールの溝に羽根をはめ込むとネジの効果で抜けなくなる。【０００９】  また、羽根は成型して羽根レールにはめ込む必要がある。超高分子量樹脂は常温で成型しても直ぐ元の形状に戻る。成型は羽根を１ピッチごとに型に添わしたまま油槽に入れ、１００℃から１２０℃に加温し羽根が定温になったところで油槽から取り出し冷水で急冷し固める。【００１０】  羽根は１ピッチずつ取り付けるので羽根同士は接着していない。したがって羽根の先端部に超高分子量樹脂で出来たはめ込み式の羽根押えカバーを取り付ける。このカバーは溝型に成型加工されたもので、それを８０℃程度に油槽内で温め柔軟にしてとりつける。これにより一枚一枚の羽根が連続して固定される。
【発明の効果】
【００１１】  スクリューコンベアー軸に羽根を取り付け、固定するための羽根レールを設けたことで、成型加工した羽根をはめ込むだけで取り付け可能にした。これにより超高分子量樹脂の羽根が使用可能になり、製造が可能になった。そのことがスクリューコンベアーの寿命を長くするという効果を発揮するものである。
【図面の簡単な説明】
【００１２】
【図１】本発明のスクリューコンベアー組立図である。
【図２】本スクリューコンベアー羽根部断面図である。
【発明を実施するための形態】
【００１３】  スクリューコンベアー羽根をスクリューコンベアー軸に固定するための羽根レールを螺旋状に取り付ける。その金具に油槽内で加温し成型された羽根をねじ込み取り付ける。最後に羽根の先端に加工された羽根押えをねじ込み取り付ける。
【実施例】
【００１４】  以下、本発明の実施の形態を図１、図２に基づいて説明する。【００１５】  図において、羽根レール３は普通鋼で溝加工したものを螺旋状に加工し、溶接にてスクリューコンベアー軸１にとりつける。【００１６】  スクリューコンベアー羽根２は油槽に入れ１００℃から１２０℃に加温後冷却し成型加工する。加工された羽根２を羽根レール３に螺旋状にねじこむ。【００１７】  軸１に取り付けられた羽根２の先端に羽根押えカバー４を８０℃程度に油槽内で温め柔軟にしてはめ込む。【００１８】  本発明の実施例は、上述のごとき構成からなるもので、これにより超高分子量樹脂を使用したスクリューコンベアーの製造が出来た。
【符号の説明】
【００１９】  １  スクリューコンベアー軸
２  スクリューコンベアー羽根
３  羽根レール
４  羽根押えカバー
【図１】
2011020850.tif 000003
【図２】
2011020850.tif 000004
(57)【要約】【課題】  従来のＣＤ，ＤＶＤ，ブルーレイ、レコーダーはメモリーの容量に対して有効に記録することが出来なかったことに対し、複数のレコードセンサーを取り付けることにより、使いやすさが向上した。【特許請求の範囲】
【請求項１】
ＣＤ、ＤＶＤ、ブルーレイなどで録画、録音をする際に２チャンネル、又はそれ以上のチャンネルを同時、時間差で録音、録画、記録するものである。
【発明の詳細な説明】
【技術分野】
【０００１】  同時放映又は同時再生されている画像、音楽を同時に録画、録音する機械。
【背景技術】
【０００２】  今までのレコーダーやハードデスクでは行われていなかった複数の情報を一度に記録出来る。
【発明の開示】
【発明が解説しようとする課題】
【０００３】  従来の機械ではメモリー量が大量に有るのにもかかわらず、一度に使うことが出来なかった。
【課題を解決するための手段】
【０００４】  記録スタートの時点で、終了予定時刻がセットできる場合に有効である。
【０００５】  第一予約Ａがスタートして仮に、一時間記録セットして第一予約Ａ終了ポイント一時間後が生まれる。そして、第一予約Ａ終了ポイントから、第二予約Ｂが第一予約Ａと同時にスタートできる。また、それ以上の予約も終了時刻をセットした場合に同時録画スタートさせることが出来る。
【発明の効果】
複数のレコーダーで、行ってきた記録を一台の機械で行うことが出来る。
【発明の実施するための最良の形態】
図１は、レコードセンサーを３つ並べたもの、又はそれ以上並べられる状態も可能。円は、ＣＤ、ＤＶＤ、ブルーレイなどをのせる台です。
図２は、ＡからＢ、同時刻にＢからＣさらに同時刻にＣからＤへ予約する３つとも同時刻に一枚のディスクで開始することが出来る
【図１】
2011123983.tif 000002
【図２】
2011123983.tif 000003
【手続補正書】
【提出日】平成22年1月29日(2010.1.29)
【手続補正１】
【補正対象書類名】明細書
【補正対象項目名】全文
【補正方法】変更
【補正の内容】
【発明の詳細な説明】
【技術分野】
【０００１】  同時放映又は同時再生されている画像、音楽を同時に録画、録音する機械
【背景技術】
【０００２】  今までのレコーダーでは行われていなかった複数の情報を一度に記録出来る。
【発明の開示】
【発明が解説しようとする課題】
【０００３】  従来の機械ではメモリー量が大量に有るのにもかかわらず、一度に使うことが出来なかった。
【課題を解決するための手段】
【０００４】  記録スタートの時点で、終了予定時刻がセットできる場合に有効である。
【０００５】  第一予約Ａがスタートして仮に、一時間記録セットして第一予約Ａ終了ポイント一時間後が生まれる。そして、第一予約Ａ終了ポイントから、第二予約Ｂが第一予約Ａと同時にスタートできる。また、それ以上の予約も終了時刻をセットした場合に同時録画スタートさせることが出来る。
【発明の効果】
複数のレコーダーで、行ってきた記録を一台の機械で行うことが出来る。
【発明の実施するための最良の形態】
【０００６】  複数のセンサーを同時に同時に使えるようにすること。
【図面の簡単な説明】
【０００７】
【図１】レコードセンサーを３つ並べたもの、又はそれ以上並べられる状態も可能。円は、ＣＤ、ＤＶＤ、ブルーレイなどをのせる台です。
【図２】は、ＡからＢ、同時刻にＢからＣさらに同時刻にＣからＤへ予約する３つとも同時刻に一枚のディスクで開始することが出来る。
(57)【要約】      （修正有）【課題】角度と長さが同時計測出来る分度器スケールを提供する。【解決手段】角度表示用の基点１と長さ表示用の基点１を共有させて、角度表示部２並びに長さ表示部３を、同一平面状に表示した。【選択図】図１
2011123042.tif 000002
【特許請求の範囲】
【請求項１】
角度表示用の基点０と長さ表示用の基点０を共有させて、角度並びに長さに関する目盛りを、同一平面状に表示したことを特徴とする、分度器スケール。
【請求項２】
基点０個所が欠損していることを特徴とする、請求項１記載の、分度器スケール。
【発明の詳細な説明】
【技術分野】
【０００１】  本発明は、長さと角度の計測器に関するものである。
【背景技術】
【０００２】  従来、分度器と物差しは別個体として、又は、それぞれの基点０が別位置に表示された同一体として存在する。
【発明の開示】
【発明が解決しようとする課題】
【０００３】    そのために次のような問題点があった。
（イ）分度器は小さく、紛失しやすかった。
（ロ）分度器は小さく、忘れやすかった。
（ハ）分度器は薄く、短く、持ちにくく扱いにくかった。
（ニ）分度器を大きくすれば邪魔になり、ペンケースには入りにくかった。
（ホ）角度と長さの計測や作図を、別々にするしかなかった。
（ヘ）０位置を見つけにくく、その位置を正確には写し取りにくかった。
【課題を解決するための手段】
【０００４】  角度表示用の基点０と長さ表示用の基点０を共有させて、角度並びに長さに関する目盛りを、同一平面状に表示したことを特徴とする。
【発明の効果】
【０００５】  分度器が長くなり、見つけやすく紛失しにくなった。
分度器が物差しと一体化し、忘れにくくなった。
分度器が長めのステイック体なので持ちやすく、扱いやすくなった。
角度と長さが同時に計測出来るようになった。
０位置が見つけやすくなった。
０位置を、その位置からはみ出すことなく正確に写し取りやすくなった。
目的の長さを表示する時、０位置で必ず、ストップするか印しが出来るようになった。
【発明を実施するための最良の形態】
【０００６】  以下、本発明の実施の形態について説明する。
図１は、角度表示部（２）と長さ表示部（３）を設け、ステイック体とした平面図である。角度ラインの０度線並びに１８０度線の直線状の下端上に基点０（１）を表示し、そこより上端方向の長さのラインを側端へ向け繰り返し表示したものである。下端以外の外郭形状を直線又は曲線とする。
図２は、基点０位置が欠損し凹み（４）状を呈する場合の、外郭の４辺全てが直線状のスティック体とした平面図である。
図３は、外郭形状が図１に類似するスティック体で、基点０位置が欠損し凹み状を呈する場合の基点０辺りの拡大図である。
図４は使い方を示し、ａは表示したい長さ位置より基点０位置に向け、筆記具（５）で直線個所（６）をなぞっている、ｂは示された紙面上の三角形ＡＢＣ（７）に対して、点Ｂと基点０、また、辺ＢＣと直線個所を合わせた図で、三角形の計測や作図の一部が当器具を動かすことなく可能であることを示す。【０００７】  図５は、前記ステイック体に対し、基点０（１）を共有する延長体（８）を、直角方向に設けた場合の平面図である。一部の角度の目盛りを、長さの目盛と同方向の平行目盛り（９）で示した。
図６は虫形のスティック体で具象化した場合の平面図で、左側の角度表示部（２）が頭部であり、凹み（４）で口、孔（１０）で目を表現している。また上端の曲線ライン（１１）は、虫の背を表現し、これは下端の直線個所（６）上にとった数個の中心点から、尾部へ向け次第に半径を短くしながら描いた円周形状である。使い方は、下端の直線個所では前記同様に長さを計測したりラインを引いたりし、左面側を前記同様の使い方とし、上端側では必要な半径のカーブを選んでなぞり、曲線を表現する。【０００８】  当発明は、平盤形状に対しては当表示を表裏に、また三角柱、四角柱等の立体に対しては当表示の一部が多面に渡って行われた場合を含むものとする。
【図面の簡単な説明】
【０００９】
【図１】    本発明の平面図である。
【図２】    本発明の平面図である。
【図３】    本発明の平面図である。
【図４】    本発明の使用図である。
【図５】    本発明の平面図である。
【図６】    本発明の平面図である。
【符号の説明】
【００１０】    １  基点０                  ２  角度表示部            ３  長さ表示部
４  凹み                    ５  筆記具                ６  直線個所
７  三角形ＡＢＣ            ８  延長体                ９  平行目盛り
１０  孔                    １１  曲線ライン
【図１】
2011123042.tif 000003
【図２】
2011123042.tif 000004
【図３】
2011123042.tif 000005
【図４】
2011123042.tif 000006
【図５】
2011123042.tif 000007
【図６】
2011123042.tif 000008